(57)【要約】【課題】指圧体が配設されるエアバッグ上面の膨張時における湾曲を抑え、指圧すべき位置で確実に指圧体を起立させることが可能な指圧機能付き枕を提供すること。【解決手段】枕用芯材１０と、枕用芯材１０の底部に配設され、上面に指圧体２４を有するエアバッグ２０と、エアバッグ２０に給排気する給排気体３０と、を具備し、エアバッグ２０は、枕用芯材１０の高さ方向に複数個のエアバッグ体が連結されてなることを特徴とする指圧機能付き枕１００である。【選択図】図３
0003234359.tif 000002
【実用新案登録請求の範囲】
【請求項１】
枕用芯材と、
前記枕用芯材の底部に配設され、上面に指圧体を有するエアバッグと、
前記エアバッグに給排気する給排気体と、を具備し、
前記エアバッグは、前記枕用芯材の高さ方向に複数個のエアバッグ体が連結されてなることを特徴とする指圧機能付き枕。
【請求項２】
上下に隣接する前記エアバッグ体は、平面中央部分を含む所要領域部分で連通していることを特徴とする請求項１記載の指圧機能付き枕。
【請求項３】
前記エアバッグは、上側エアバッグ体と下側エアバッグ体とが連結されたものであることを特徴とする請求項１または２記載の指圧機能付き枕。
【請求項４】
前記上側エアバッグ体が前記枕用芯材に埋設されていることを特徴とする請求項３記載の指圧機能付き枕。
【請求項５】
前記上側エアバッグ体と前記下側エアバッグ体とが前記枕用芯材にインサート成形されており、前記給排気体により前記上側エアバッグ体および前記下側エアバッグ体に給気されることにより、前記下側エアバッグ体が前記枕用芯材から分離することを特徴とする請求項３または４記載の指圧機能付き枕。
【請求項６】
前記上側エアバッグ体の膨張高さは、前記下側エアバッグ体の膨張高さよりも低いことを特徴とする請求項３〜５のうちのいずれか一項に記載の指圧機能付き枕。
【請求項７】
前記上側エアバッグ体の膨張高さは、前記下側エアバッグ体の膨張高さの半分以下であることを特徴とする請求項６記載の指圧機能付き枕。
【請求項８】
前記指圧体は、最上部に位置する前記エアバッグ体の内部空間と連通していることを特徴とする請求項１〜７のうちのいずれか一項に記載の指圧機能付き枕。
【考案の詳細な説明】
【技術分野】
【０００１】
本考案は指圧機能付き枕に関する。
【背景技術】
【０００２】
仰向けに寝た状態で手軽に首回りや後頭部のツボを指圧することを可能にした枕が従来知られている。このような指圧機能付き枕としては、例えば特許文献１（特開２００２−９５７１５号公報）に開示されているような構成が提案されている。
【先行技術文献】
【特許文献】
【０００３】
【特許文献１】特開２００２−９５７１５号公報
【考案の概要】
【考案が解決しようとする課題】
【０００４】
特許文献１に開示されている指圧機能付き枕は、枕用芯材である緩衝部材の上面に凹部が形成されており、この凹部内に指圧体と指圧体を凹部内で昇降させる座布団状のエアバッグを収容し、枕本体とは別体のエア供給ユニットを接続したものである。このような座布団状のエアバッグに給気をすると、エアバッグの外周縁（拘束部分）よりもエアバッグの中央部分が多く膨張し、エアバッグの上面が大きく湾曲してしまう。すなわちエアバッグの上面の四隅部分に配設した指圧体は、いずれもエアバッグの上面において斜め外側方向に向かって起立し、指圧すべき位置とは異なる位置に向けて指圧体が起立してしまうといった課題を有している。
【課題を解決するための手段】
【０００５】
そこで本考案は、指圧体が配設されるエアバッグ上面の膨張時における湾曲を抑え、指圧すべき位置で確実に指圧体を起立させることが可能な指圧機能付き枕の提供を目的としている。
【０００６】
上記課題を解決するために本考案者は鋭意研究を行った結果、以下の構成に想到した。すなわち、枕用芯材と、前記枕用芯材の底部に配設され、上面に指圧体を有するエアバッグと、前記エアバッグに給排気する給排気体と、を具備し、前記エアバッグは、前記枕用芯材の高さ方向に複数個のエアバッグ体が連結されてなることを特徴とする指圧機能付き枕である。
【０００７】
これにより、指圧体が配設されるエアバッグ上面の湾曲が抑制され、指圧すべき位置で確実に指圧体を起立させることが可能になる。
【０００８】
また、上下に隣接する前記エアバッグ体は、平面中央部分を含む所要領域部分で連通していることが好ましく、前記エアバッグは、上側エアバッグ体と下側エアバッグ体とが連結されたものであることがより好ましい。
【０００９】
これらにより、指圧体が配設される上側エアバッグの膨張時における上面の湾曲がさらに抑制され、より適切な状態で指圧体を起立させることができる。
【００１０】
また、前記上側エアバッグ体が前記枕用芯材に埋設されていることが好ましく、前記上側エアバッグ体と前記下側エアバッグ体とが前記枕用芯材にインサート成形されており、前記給排気体により前記上側エアバッグ体および前記下側エアバッグ体に給気されることにより、前記下側エアバッグ体が前記枕用芯材から分離することがより好ましい。
【００１１】
これらにより、上側エアバッグを枕用芯材に埋設させた状態でエアバッグ全体の高さを増大させることができ、指圧体を適切な状態で起立させることができる。
【００１２】
また、前記上側エアバッグ体の膨張高さは、前記下側エアバッグ体の膨張高さよりも低いことが好ましく、前記上側エアバッグ体の膨張高さは、前記下側エアバッグ体の膨張高さの半分以下であることがより好ましい。
【００１３】
これらにより、指圧体が配設された上側エアバッグの膨張時における上面の湾曲がさらに抑制され、より適切な状態で指圧体を起立させることができる。
【００１４】
また、前記指圧体は、最上部に位置する前記エアバッグ体の内部空間と連通していることが好ましい。
【００１５】
これにより、エアバッグに供給する空気量を微調整することで自分好みの指圧体の膨張状態（硬さ）にすることができる。
【考案の効果】
【００１６】
本考案にかかる指圧機能付き枕の構成を採用することにより、指圧体が配設されるエアバッグ上面の湾曲が抑制され、指圧すべき位置で確実に指圧体を起立させることが可能になる。
【図面の簡単な説明】
【００１７】
【図１】第１実施形態における指圧機能付き枕の使用状態における平面図である。
【図２】第１実施形態における指圧機能付き枕の使用状態における右側面図である。
【図３】図１中のＩＩＩ―ＩＩＩ線における枕部分の断面図である。
【図４】エアバッグ膨張前の状態を示す底面側斜視図である。
【図５】エアバッグを膨張させた状態を示す図３相当図である。
【図６】エアバッグ膨張後における状態を示す底面側斜視図である。
【図７】指圧体の他の形状例を示す説明図である。
【考案を実施するための形態】
【００１８】
以下、本考案における指圧機能付き枕の実施形態について図面に基づいて具体的に説明する。本実施形態における指圧機能付き枕１００は、図１〜図３に示すように、枕用芯材１０、枕用芯材１０の底部としての底面１４に配設されたエアバッグ２０、および給排気体３０を具備している。
【００１９】
本実施形態における枕用芯材１０は軟質発泡ウレタン等に代表されるいわゆる低反発ウレタンによって側面視略凸形状に形成されている。枕用芯材１０の上面１２は、使用者の肩部（背中）から首の根元部分にかけて当接する緩傾斜面部１２Ａ、使用者の首の根元部分から延髄部分にかけて当接する突出部１２Ｂおよび使用者の後頭部に当接する平坦肉厚部１２Ｃにより形成されている。枕用芯材１０の底面１４において緩傾斜面部１２Ａに対向する部分にはエアバッグ２０が埋設されており、エアバッグ２０に配設された指圧体２４の位置には枕用芯材１０の上面１２に向けて延設された指圧体進入部１６が形成されている。本実施形態における指圧体進入部１６は、枕用芯材１０の上面１２に開口している。
【００２０】
また、本実施形態における枕用芯材１０の外表面には、枕カバー１８が着脱可能に装着されている。枕カバー１８の緩傾斜面部１２Ａに対向する部分は、他の部分における生地厚さよりも厚い肉厚部１８Ａに形成されている。このような枕カバー１８を採用することで、指圧体２４が埋設されている部分を外部から認識しやすくなり、適切な位置に頭部を載置することができる。また、指圧体２４を膨張させて使用者の肩部（背中）から首の根元部分にかけて指圧体２４を当接させる際における緩衝材としても機能し、かつ、枕カバー１８の耐摩耗性を高めることができる点で好都合である。
【００２１】
本実施形態におけるエアバッグ２０は、図３に示すように、上側エアバッグ体２０Ａと下側エアバッグ体２０Ｂとからなる２層構造に形成されている。上側エアバッグ体２０Ａと下側エアバッグ体２０Ｂとは平面視四角形状をなしていると共に平面中央部分を含む所要平面領域部分で互いに連通している。上側エアバッグ体２０Ａの上面の四隅位置には指圧体２４が配設されている。本実施形態における指圧体２４は中空構造の円柱状をなし上側エアバッグ体２０Ａの内部空間と連通している。このように指定形成された指圧体２４は、エアバッグ２０と共に膨張して上側エアバッグ体２０Ａの上面から指圧体進入部１６に沿って所定方向に起立する。枕用芯材１０の上面１２から指圧体２４の上端面までの距離はいずれの位置においても等しくなるように設定されている。
【００２２】
また、本実施形態においては、上側エアバッグ体２０Ａの生地厚さが下側エアバッグ体２０Ｂの生地厚さよりも肉厚に形成されている。これにより、上側エアバッグ体２０Ａと下側エアバッグ体２０Ｂの外形寸法が同一寸法であったとしても、上側エアバッグ体２０Ａの高さ方向における膨張量が下側エアバッグ体２０Ｂの高さ方向における膨張量より少なくなる。したがって、上側エアバッグ体２０Ａの上面の湾曲が抑制され、指圧体２４の起立方向が外方に向かないようにすることができる。
【００２３】
エアバッグ２０（本実施形態においては下側エアバッグ体２０Ｂ）には給排気用ホース２６の第１端部が図示しないエルボーを介して連結されており、給排気用ホース２６の第２端部が枕用芯材１０の外部に配設された給排気体３０に連結されている。本実施形態における給排気体３０は手動エアポンプが用いられているが、電動エアポンプを採用することもできる。電動エアポンプを採用した場合には、電動エアポンプの動作を制御する動作制御部をさらに備えていることが好ましい。
【００２４】
本実施形態におけるエアバッグ２０は、図３および図４に示すように、少なくとも未使用時においては枕用芯材１０の底面側にインサート成形により全体が埋設された状態になっている。使用時等においてエアバッグ２０を所定の大きさまで膨張させると、図５および図６に示すように、下側エアバッグ体２０Ｂが枕用芯材１０の底面１４から分離し、上側エアバッグ体２０Ａのみが枕用芯材１０に埋設された状態を維持する。このように上側エアバッグ体２０Ａは常に枕用芯材１０に位置決めされた状態で埋設されているので、上側エアバッグ体２０Ａの膨張時における上面の湾曲を抑制することもできる。
【００２５】
図５および図６においては、指圧機能付き枕１００単体の状態でエアバッグ２０を膨張させた状態を示しているため、枕用芯材１０の底面１４から下側エアバッグ体２０Ｂが分離し、底面１４から下側エアバッグ体２０Ｂが突出した状態になっている。しかしながら、実際の使用時においては、枕用芯材１０は使用者の体重によって設置面に押さえられているので、下側エアバッグ体２０Ｂの下面は底面１４と面一になり、下側エアバッグ体２０Ｂの設置面側への膨張が制約される。これにより、下側エアバッグ体２０Ｂの上方への膨張が増加して、使用者の頭部との間にある枕用芯材１０を弾性変形させると共に指圧体２４を枕用芯材１０の上面１２に向けてリフトアップすることができる。また、下側エアバッグ体２０Ｂの膨張が制約されることで、エアバッグ２０全体の内部圧力が高められ、上側エアバッグ体２０Ａの内部に連通する指圧体２４が適度に硬化される。
【００２６】
また、本実施形態における上側エアバッグ体２０Ａの膨張高さは、下側エアバッグ体２０Ｂの膨張高さよりも低くなるように設定されている。ここでは、上側エアバッグ体２０Ａの膨張高さが下側エアバッグ体２０Ｂの膨張高さの半分以下になるように設定されている。このようなエアバッグ２０の形態を採用することで、エアバッグ２０全体高さの増加は下側エアバッグ体２０Ｂに担わせ、使用者の頭部に最も近い上側エアバッグ体２０Ａの上面の湾曲を抑え、可及的に平坦面に近づけることができる。使用者が給排気体３０による給気操作を調整することで、エアバッグ２０に供給する空気の量を調整し、指圧体２４の硬化状態を調節することができる。
【００２７】
このようにして給排気体３０によってエアバッグ２０に空気が供給されると、枕用芯材１０の指圧体進入部１６内で指圧体２４が当初目標方向に向けて起立する。本実施形態においては、指圧体２４の硬化時（膨張時）における上端部高さ位置が枕用芯材１０の上面１２から所要距離離間した位置となるように設定されているため、指圧体２４が使用者の首や肩甲骨周りを直接当接した状態で刺激することはない。しかしながら使用者の自重により枕用芯材１０が沈み込み、枕用芯材１０の内部で適度に硬化させた指圧体２４によって使用者の首や肩甲骨周りを押圧させた状態にすることができ、心地よい刺激を得ることができる。
【００２８】
以上に、本考案にかかる指圧機能付き枕１００について実施形態に基づいて詳細に説明をしたが、本考案の技術的範囲は、以上の実施形態に限定されるものではない。すなわち、考案の要旨を変更しない範囲における適宜変更を施した構成は、本考案の技術的範囲に属する。例えば、本実施形態においては、上側エアバッグ体２０Ａと下側エアバッグ体２０Ｂからなる２層構造のエアバッグ２０を例示しているが、この形態に限定されるものではない。３つ以上のエアバッグ体を高さ方向に連結させた形態を採用することもできる。
【００２９】
また、本実施形態におけるエアバッグ２０は上側エアバッグ体２０Ａの生地厚さを下側エアバッグ体２０Ｂの生地厚さよりも肉厚にしているが、この形態に限定されるものではない。上側エアバッグ体２０Ａの生地の機械的強度を下側エアバッグ体２０Ｂの生地の機械的強度よりも高くした形態を採用することもできる。この形態によっても、上側エアバッグ体２０Ａの高さ方向における膨張量を下側エアバッグ体２０Ｂの高さ方向における膨張量よりも少なくすることができる。
【００３０】
また、本実施形態においては、高さ方向に隣接する上側エアバッグ体２０Ａと下側エアバッグ体２０Ｂどうしは、平面中央部分を含む所要平面領域部分で互いに連通させた形態を例示しているがこの形態に限定されるものではない。上側エアバッグ体２０Ａと下側エアバッグ体２０Ｂの平面領域において散点的に設けた複数箇所の連通部で互いに連通させた形態とすることもできる。
【００３１】
また、本実施形態においては、エアバッグ２０を枕用芯材１０の底面１４に埋設させた形態を例示しているがこの形態に限定されるものではない。エアバッグ２０を枕用芯材１０の底面１４（底部）に単に配設した形態を採用することもできる。このとき、枕用芯材１０の底面１４には位置合わせ用の凹部（図示はせず）が配設されていることが好ましい。
【００３２】
また、以上の実施形態においては、給排気体３０として手動ポンプを採用した形態について説明しているが、給排気体３０として電動ポンプを採用することもできる。
【００３３】
また、以上の実施形態においては、枕カバー１８を有しているが、枕カバー１８の配設を省略した形態を採用することもできる。
【００３４】
また、図示しない動作制御部を配設した場合には、同じく図示しないタイマによって、就寝時刻や起床時刻に合わせて給排気体３０のオンオフ動作を制御し、就寝時作動モードや起床時作動モードを適宜実行させることもできる。就寝時作動モードは、使用者にリラックス効果を提供するために、給排気体３０のオンオフ動作の切り替え時間が起床時作動モードにおける給排気体３０のオンオフ動作の切り替え時間よりも長く、かつ、エアバッグ２０へのエア供給量が起床時作動モードにおけるエアバッグ２０へのエア供給量よりも少なく（指圧体２４の硬化度を起床時作動モードよりも低く）設定されている。このようにすることで、使用者を就寝時にリラックスした状態にすることができる。これに対して起床時においては、就寝時作動モードとは逆の設定を実行させることで使用者にリフレッシュ効果を提供し、さわやかな目覚めを提供できる。
【００３５】
また、以上の実施形態においては、円柱状に形成され、上側エアバッグ体２０Ａの内部空間に連通する指圧体２４の形態について説明しているが、指圧体２４の形態は本実施形態のものに限定されない。例えば図７（Ａ）に示すように、断面形状がＴ字型のソリッド体に形成された指圧体２４を上側エアバッグ体２０Ａの上面に取り付けた形態を採用することもできる。これにより強い押し感触を得ることができる。また、図７（Ｂ）に示すように、上側エアバッグ体２０Ａの内部と連通されていない上面が湾曲面に形成された中空の円柱体に形成された指圧体２４を採用することもできる。これにより弱い押し感触を得ることができる。また、図７（Ｃ）に示すように、上側エアバッグ体２０Ａとはコイルばね２４Ａを介して連結された当接体２４Ｂにより形成された指圧体２４の形態を採用することもできる。
【００３６】
さらには、図示はしないが人の指先を模した形状の指圧体２４を上側エアバッグ体２０Ａに取り付けた形態を採用することもできる。使用者は好みに応じて指圧体２４の具体的な形態を適宜選択することができる。そして、上側エアバッグ体２０Ａの内部空間と連通しない指圧体２４においては、図示しない板状のベース体の上面に指圧体２４を立設させ、ベース体の下面を上側エアバッグ体２０Ａに公知の手法によって貼着させた形態を採用することもできる。
【００３７】
さらに以上の実施形態において説明した変形例を適宜組み合わせた形態を採用することもできる。
【符号の説明】
【００３８】
１０  枕用芯材
１２  上面
１２Ａ  緩傾斜面部
１２Ｂ  突出部
１２Ｃ  平坦肉厚部
１４  底面（底部）
１６  指圧体進入部
１８  枕カバー
１８Ａ  肉厚部
２０  エアバッグ
２０Ａ  上側エアバッグ体
２０Ｂ  下側エアバッグ体
２４  指圧体
２４Ａ  コイルばね
２４Ｂ  当接体
２６  給排気用ホース
３０  給排気体
１００  指圧機能付き枕
【図１】
0003234359.tif 000003
【図２】
0003234359.tif 000004
【図３】
0003234359.tif 000005
【図４】
0003234359.tif 000006
【図５】
0003234359.tif 000007
【図６】
0003234359.tif 000008
【図７】
0003234359.tif 000009